(57)【特許請求の範囲】
【請求項１】
水晶が眼から照射された眼差しの微細エネルギーを感知する電気回路であって、同調、ノイズ低減、調整を行う可変抵抗器が回路内に組み込まれ、ＩＣの特性外領域を利用した増幅回路を有し、直流電流値による零値を基底値とし、回路内に組み込まれたＤＣ−ＤＣコンバータからの出力を、眼から照射された眼差しの微細エネルギーを感知した反応値とすることを特徴とする電気回路。
【発明の詳細な説明】
【技術分野】
【０００１】本発明は、外気功の検知器・測定器の電気回路であるが、そのなかでも眼差しという特化した生体エネルギーを、遠隔で電気エネルギーに変換する電気回路に関するものである。
【背景技術】
【０００２】どのようにして眼差しが空間を伝播するのか、そしてそれが対象に確実に到達しているのかどうかを、数値的に視覚化することができないか、とその分野の研究や検知器を探したが見つからなかった。従来、視線の方向に関しては研究は行われている。しかし、眼差しそのものの本質を、科学的に解明した研究を知らない。
【発明の概要】
【発明が解決しようとする課題】
【０００３】見るという行為によって派生する眼差しという微細エネルギーが、空間を伝播し、見ている対象に確実に到達しているという事実を、電気的数値をもって視覚化することを課題とした。
【課題を解決するための手段】
【０００４】本発明は、上記課題を解決するために、水晶が眼差しを受信する目的で構築されたことを特徴とする電気回路であって、同調、ノイズ低減、零値を基底値とする調整を行う可変抵抗器が回路内に組み込まれた特徴を持つ電気回路であって、ＩＣの特性外領域を利用した増幅回路を有した特徴を持つ電気回路であって、水晶が、同時に外気功のエネルギーを受信する目的で回路内に構築されたことを特徴とする。
【発明の効果】
【０００５】以上説明したように、本発明によれば、眼差しに反応して電気的な出力が得られることで、眼差しを受けた人間型ロボットの反応を、より自然な親しみのある動作にすることができるようになったり、店舗のショーウインドウに置いた商品に興味を持った通行人が商品を見つめると様々なリアクションで応答するというような宣伝促進に活用できる。それから、人をアシストする様々な機器を眼差しによってコントロールするテクノロジーの分野、さらに、医療技術の分野や遠隔医療の分野においても、新たな活用の展開が期待できる。
【図面の簡単な説明】
【０００６】
【図１】  本発明の実施例を示す電気回路図である。
【図２】  主回路を収納した箱と、出力値を視覚化できるように連結した汎用テスターと、回路を動作させるための電源を繋いだ結線外観図である。
【発明を実施するための形態】
【０００７】以下、本発明の実施の形態について詳細に説明する。
眼差しの伝搬方法や計測機器を、新しい視点で見直しし，電子回路を構築して製作と実験を繰り返してきた。『眼は口ほどにものをいう』、『ガンをとばす』といった眼差しにからんだ諺や言葉があります。又、猫や犬と目を合わせると寄ってきたり、逆に寄り付かなかったりすることがあります。悪意のある眼差しと、愛にあふれた眼差しが、人であれ、猫や犬であれ、情緒や感情の面で生体反応を引き起こしていることは実感し認められるのですが、眼差しをはっきりとした数値で検知し、数値として視覚化することはできていませんでした。又、眼差しがどのように均衡のとれた空間、場に影響しながら対象へ到達しているのか、を研究している書物を探したが見つかりませんでした。この分野の研究が対象としている眼差しが、横波の計測機器での検出に重点がおかれてきた為に、眼差しの本質を見極めるところに至らず、伝搬方法の検証や、眼差しを検知し数値に変換して可視化することもできなかったのでは、と推察した。
そういう事で、眼差しが眼差しを受ける人や動物、物質に影響を与えている事を実証しようと研究と実験を始めた。眼差しを送る行為が送られた人や動物や物質に実際に影響を与えるものなのか、また眼差しが空間を伝搬していく仕組みを解明する実験に際して、次のような４点の仮説を立てて検証することにした。
仮説▲１▼  眼差しは合気道、忍者の忍術と同じ質のものである。
仮説▲２▼  眼差しは重力・磁場の均衡している空間にアンバランスを生じさせる。
仮説▲３▼  眼差しは重力・磁場を中継し伝搬する。重力・磁場のアンバランスによる傾きを最初に生じさせ、それが次々と新たな傾きを生じながら伝搬していく。
仮説▲４▼  眼差しを受けるセンサーとして水晶が最適である。
地球を形成している鉱石の割合は、石英ＳＩＯ２が大陸で６０％、海洋で４９．６％、マントルで４４．９％といわれている。石英ＳＩＯ２の割合は突出している。そういう特筆すべき地球環境の中で、ピラミッドに使われている石には、石英の砂が埋もれていて水晶の特質を帯びている。クフ王大ピラミッドの王の間への回廊の側壁にあるｎｉｃｈｅ様の穴には、盗賊から盗まれる以前には、かっては、たくさんの水晶がおいてあり、王の間にある石棺と重力軽減の間が共振器として機能し、この配置された水晶群が、ピラミッドが地球のレイライン上の重要ポイントに位置することから湧出するエネルギーを、王の間の石棺に誘導し、共振、増幅し、電磁気エネルギーに変換していたのではないか、との学説に賛同した。さらに、アトランティス文明時代には、水晶は記録媒体として、現代のコンピューターでの記録回路に匹敵する微細エネルギーの受け渡しをしていたのでは、という学説に賛同し、水晶を眼差しを受ける入力回路に組み込み電気回路を構成した。
【０００８】電気回路の出力値において、眼差しを送らない状態では汎用テスターの直流電流レンジで、零値であった出力が、２メーター以上離れた距離位置から眼差しを送るとマイクロアンペアからミリアンペアの出力値を表示し、眼差しを送らなくなると零値に戻ることを特徴とする。
【０００９】電気回路の出力値において、腕を伸ばして手や指先を水晶に向けない状態では汎用テスターの直流電流レンジで、零値であった出力が、２メーター以上離れた距離位置から手や指先を水晶に向けるとマイクロアンペアからミリアンペアの出力値を表示し、手や指先を水晶に向けなくなると零値に戻ることを特徴とする。
【００１０】既出願における主回路のイ、ロで符号を付与した出力端子から新たに増設した副回路のＤＣ−ＤＣコンバーターの入力端子イ、ロと結線し、主回路と副回路を共にａの内部に収納した。
【００１１】副回路のＤＣ−ＤＣコンバーターの出力を、ａの内側面にある同軸ケーブルコネクタに接続し、ｃを経由して汎用テスターで表示した。
【符号の説明】
【００１２】ａ      主回路基板と副回路基板を収納したプラスティック製の箱
ｂ      水晶
ｃ      同軸ケーブルとテスターのテストプローブを連結したもの
ｄ      可変抵抗器ダイアル
ｅ      汎用テスター
ｆ      電源ケーブル
ｇ      電池ホルダー
ｈ      電池
ｉ      トグルスイッチ
ｊ      工作用電線
ｋ      水晶
0006823241.tif 000002
イ      主回路の＋出力端子と副回路の＋入力端子を結線
ロ      主回路の−出力端子と副回路の−入力端子を結線
【要約】
【課題】眼差しの持つ生体エネルギーの力を遠隔で感知し、電流値という物理的な電気エネルギーに変換、視覚化したり多様な使途に利用できる電気回路を提供する。
【解決手段】新たに設計し開発した電子回路にＤＣ−ＤＣコンバーターを連結させた。水晶を入力アンテナとし、眼差しのエネルギーを圧力として入力、電気的なエネルギーに変換させ、２個の可変抵抗器で、同調、ノイズを低減し零値を基底値とする調整を行い、無反応時はゼロ値で、反応時に、直流電流値として出力できる。
【選択図】図１【図１】
0006823241.tif 000003
【図２】
0006823241.tif 000004